(57)【要約】【課題】階間調整動作を止めた状態でも運転対象とするかごを目的階に正しく着床させて運転サービスを継続する。【解決手段】本実施形態におけるエレベータ制御装置３０は、昇降路内におけるかご枠の位置を検出するかご位置検出部と、階間調整装置の動作が停止した場合に、その動作停止直前の各かごの間隔と目的階の階間長との誤差に基づいてかご枠の位置を補正するかご位置補正部４５と、補正後のかご枠の位置に基づいてかご枠を目的階まで走行させ、各かごの１つを目的階に着床させる走行制御部４８とを備える。【選択図】図２
2016055992.tif 000002
【特許請求の範囲】
【請求項１】
少なくとも２つのかごが上下方向に連結されたかご枠と、上記かご枠内の各かごの間隔を昇降路内の各階の階間長に合わせて調整する階間調整装置とを備えた階間調整機能付きエレベータにおいて、
上記昇降路内における上記かご枠の位置を検出するかご位置検出手段と、
上記階間調整装置の動作が停止した場合に、その動作停止直前の上記各かごの間隔と目的階の階間長との誤差に基づいて、上記かご位置検出手段によって検出された上記かご枠の位置を補正するかご位置補正手段と、
このかご位置補正手段によって補正された上記かご枠の位置に基づいて上記かご枠を上記目的階まで走行させ、上記各かごの中の１つを上記目的階に着床させる走行制御手段と
を具備したことを特徴とする階間調整機能付きエレベータ。
【請求項２】
上記階間調整装置の動作停止直前の上記各かごの間隔を取得するかご間隔取得手段と、
予め上記各階の間隔を示す階間長を記憶した記憶手段とを備え、
上記かご位置補正手段は、
上記記憶手段に記憶された上記各階の中の上記目的階の階間長と上記かご間隔取得手段によって得られた上記階間調整装置の動作停止直前の上記各かごの間隔との誤差に基づいて位置ずれ量を算出し、この位置ずれ量を上記かご枠の位置に加えることを特徴とする請求項１記載の階間調整機能付きエレベータ。
【請求項３】
上記走行制御手段は、
上記かご枠の走行中に補正後の上記かご枠の位置に基づいて上記目的階までの残距離を算出し、その残距離に応じた減速開始位置で上記かご枠を減速することを特徴とする請求項１記載の階間調整機能付きエレベータ。
【請求項４】
上記各かごの中の任意の１つのかごを運転対象かごとして使用するシングル運転モードを設定するモード設定手段と、
このモード設定手段によって上記シングル運転モードが設定された場合に上記階間調整装置の動作を停止させる動作制御手段と
をさらに具備したことを特徴とする請求項１記載の階間調整機能付きエレベータ。
【請求項５】
上記モード設定手段は、
時間帯に応じて上記シングル運転モードを設定することを特徴とする請求項４記載の階間調整機能付きエレベータ。
【請求項６】
上記動作制御手段は、
上記階間調整装置に対する電力供給を遮断することで上記階間調整装置の動作を停止させることを特徴とする請求項４記載の階間調整機能付きエレベータ。
【請求項７】
上記動作制御手段は、
上記各かごの間隔を所定の間隔に調整した後に上記階間調整装置の動作を停止させることを特徴とする請求項４記載の階間調整機能付きエレベータ。
【請求項８】
上記動作制御手段は、
上記各かごの間隔を最大に広げた状態に調整した後に上記階間調整装置の動作を停止させることを特徴とする請求項４記載の階間調整機能付きエレベータ。
【発明の詳細な説明】
【技術分野】
【０００１】
本発明の実施形態は、かご枠内の各かごの間隔を調整可能な階間調整機能付きエレベータに関する。
【背景技術】
【０００２】
超高層ビル等では、ビルのスペース効率を向上させるために、ビル内の縦の交通手段として、かごを上下２段に構成した大量輸送が可能なエレベータが用いられる。このようなエレベータを「ダブルデッキエレベータ」と呼んでいる。
【０００３】
ダブルデッキエレベータには、建物の各階床の高さが一定でない場合にも、上下のかごが同時に行先階に着床できるように、かご枠内の上下のかごの間隔を調整する階間調整装置を備えたものがある。
【０００４】
ここで、ダブルデッキエレベータ特有の運転モードとして、一方のかごのみを使用して運転するシングル運転モードがある。シングル運転モードでは、他方のかごの運転を休止するため、消費電力を抑えられるはずであるが、階間調整動作（かご間隔の調整動作）を各階で行うために、期待以上に消費電力を削減できない。
【先行技術文献】
【特許文献】
【０００５】
【特許文献１】特開２０１３−１１９４６７号公報
【発明の概要】
【発明が解決しようとする課題】
【０００６】
上述したように、ダブルデッキエレベータでは、各階で階間調整動作が必要であるため、シングル運転モードで運転していても消費電力を削減できない。この場合、省電力化のためにシングル運転モード時に階間調整動作を止めておくことが考えられる。しかし、階間調整動作を止めてしまうと、シングル運転するかごを目的階に正しく着床できなくなる問題がある。
【０００７】
本発明が解決しようとする課題は、階間調整動作を止めた状態でも運転対象とするかごを目的階に正しく着床させて運転サービスを継続することのできる階間調整機能付きのエレベータを提供することである。
【課題を解決するための手段】
【０００８】
本実施形態に係る階間調整機能付きのエレベータは、少なくとも２つのかごが上下方向に連結されたかご枠と、上記かご枠内の各かごの間隔を昇降路内の各階の階間長に合わせて調整する階間調整装置とを備えた階間調整機能付きエレベータにおいて、上記昇降路内における上記かご枠の位置を検出するかご位置検出手段と、上記階間調整装置の動作が停止した場合に、その動作停止直前の上記各かごの間隔と目的階の階間長との誤差に基づいて、上記かご位置検出手段によって検出された上記かご枠の位置を補正するかご位置補正手段と、このかご位置補正手段によって補正された上記かご枠の位置に基づいて上記かご枠を上記目的階まで走行させ、上記各かごの１つを上記目的階に着床させる走行制御手段とを具備する。
【図面の簡単な説明】
【０００９】
【図１】図１は第１の実施形態に係る階間調整機能付きエレベータの構成を示す図である。
【図２】図２は同実施形態におけるエレベータ制御装置の機能構成を示すブロック図である。
【図３】図３は同実施形態におけるエレベータ制御装置に設けられた階間長テーブルの一例を示す図である。
【図４】図４は同実施形態におけるかご枠のかご間隔と各階の階間長との関係を説明するための図である。
【図５】図５は同実施形態におけるかご枠の上かごと下かごが目的階の床面とずれて停止している状態を示す図である。
【図６】図６は同実施形態におけるエレベータの速度パターンと走行距離との関係を示す図であり、図６（ａ）は速度パターン、同図（ｂ）は走行距離を示している。
【図７】図７は同実施形態におけるエレベータの運転制御を示すフローチャートである。
【図８】図８は図７のステップＳ１６で実行されるかご位置補正処理を示すフローチャートである。
【図９】図９は図７のステップＳ１７で実行される走行制御を示すフローチャートである。
【図１０】図１０は図９の走行制御に含まれる減速処理を示すフローチャートである。
【図１１】図１１は第２の実施形態におけるエレベータの運転制御を示すフローチャートである。
【図１２】図１２は同実施形態におけるエレベータの終端階に設置された方向制限スイッチを説明するための図である。
【発明を実施するための形態】
【００１０】
以下、図面を参照して実施形態を説明する。
【００１１】
（第１の実施形態）
図１は第１の実施形態に係る階間調整機能付きエレベータの構成を示す図である。なお、ここでは、１つのかご枠１に２つのかご室（以下、上かごと下かごと称す）２，３を有するダブルデッキエレベータを例にして説明する。
【００１２】
巻上機１１には、メインロープ１３がそらせシーブ１２を介して巻き掛けられている。メインロープ１３の一端にはかご枠１、他端にはカウンタウェイト１４が連結されている。巻上機１１が駆動されると、かご枠１とカウンタウェイト１４がメインロープ１３を介して昇降路１０内を昇降動作する。
【００１３】
外枠であるかご枠１の中には、上かご２と下かご３が設けられている。上かご２は、上段に位置する乗りかごである。下かご３は、下段に位置する乗りかごである。上かご２と下かご３は、ボールネジ５ａ，５ｂ，６ａ，６ｂを介して上下方向に移動自在に連結されている。これらのボールネジ５ａ，５ｂ，６ａ，６ｂは、上梁１ａと中間梁７によって支持されており、モータ４ａ，４ｂの駆動により、上かご２と下かご３を互いに離間させる方向あるいは接近させる方向に移動させる。
【００１４】
また、かご枠１には、階間調整装置２０や図示せぬドア制御装置などが搭載されている。これらの装置類は、かご下ダクト１５に配線されたテールコード１６を介してビルの機械室などに設置されたエレベータ制御装置３０に接続されている。階間調整装置２０は、エレベータ制御装置３０からの指示に従って、モータ４ａ，４ｂを駆動し、かご枠１内の上かご２と下かご３との間隔（以下、単にかご間隔と称す）を調整する。なお、かご間隔を各階の階間長に合わせて調整することを「階間調整動作」と言う。
【００１５】
ダブルデッキエレベータでは、かご枠１を所定の速度で目的階まで走行し、かご枠１に設けられた着床スイッチ２４が着床検出板２１の範囲内に入ったときに走行を停止する。なお、ここで言う「目的階」とは、上かご２が着床する階と下かご３が着床する階の２つ階を含んでいる。ただし、後述するシングル運転モードでは、かご枠１内の上かご２および下かご３の一方がシングル運転に使用される。したがって、シングル運転モード時の「目的階」とは、シングル運転に使用される乗りかごが着床する階のことを言う。通常はシングル運転時にかご枠１の走行制御により上かご２が制御されて、目的階に着床する。
【００１６】
ここで、かご枠１の走行中にモータ４ａ，４ｂの駆動により階間調整動作が開始され、かご枠１のかご間隔が各階の階間長に合わせて調整される。かご枠１と同様に上かご２と下かご３に対しても着床スイッチ２５，２６が設けられている。これらの着床スイッチ２５，２６と着床検出板２２，２３との位置関係により、上かご２と下かご３の位置決め（レベル合わせ）を確認できる。なお、着床検出板２１〜２３は昇降路１０内に所定の間隔で配設されている。
【００１７】
図中の３１〜３３はＰＧ（パルスジェルレータ）である。ＰＧ３１，３２は、階間調整用のモータ４ａ，４ｂに設置されており、それぞれにモータ４ａ，４ｂの回転に同期してパルス信号を出力する。ＰＧ３１，３２から出力されるパルス信号は、現在のかご枠１のかご間隔を示す信号としてエレベータ制御装置３０に与えられる。ＰＧ３３は、ガバナ（調速機）３４に設置されており、かご枠１の昇降動作に同期してパルス信号を出力する。ＰＧ３３から出力されるパルス信号は、昇降路１０内における現在のかご枠１の位置を示す信号としてエレベータ制御装置３０に与えられる。
【００１８】
図中の３５は上かご２内で利用者が行先階を登録するための行先階ボタン、３６は下かご３内で利用者が行先階を登録するための行先階ボタンである。これらの行先階ボタン３５，３６で登録された行先階は、かご呼びの情報としてエレベータ制御装置３０に与えられる。
【００１９】
図中の３７ａ，３７ｂ，３７ｃ…は、利用者が行先方向（上方向または下方向）を登録するための方向ボタンであり、各階の乗場３８ａ，３８ｂ，３８ｃ…に設置されている。これらの方向ボタン３７ａ，３７ｂ，３７ｃ…で登録された行先方向は、ホール呼びの情報としてエレベータ制御装置３０に与えられる。
【００２０】
なお、図１では、エレベータ制御装置３０と階間調整装置２０を機能別に分割した構成としているが、物理的にはモータ４ａ，４ｂの駆動制御部分のみかご枠１に搭載し、その他はエレベータ制御装置３０に設ける構成としても良い。
【００２１】
エレベータ制御装置３０は、所謂「制御盤」と呼ばれるものであり、巻上機１１の駆動制御など、エレベータ全体の制御を行う。図２に示すように、このエレベータ制御装置３０には、ダブルデッキエレベータの運転制御に関する各機能が備えられている。
【００２２】
図２はエレベータ制御装置３０の機能構成を示すブロック図である。
【００２３】
エレベータ制御装置３０には、モード設定部４１、動作制御部４２、かご位置検出部４３、かご間隔取得部４４、かご位置補正部４５、階間長テーブル４６、呼び記憶部４７、走行制御部４８、速度パターン演算部４９が備えられている。
【００２４】
モード設定部４１は、ダブルデッキエレベータの運転モードを設定する。ダブルデッキエレベータの運転モードとして、「ダブル運転モード」，「シングル運転モード」，「セミダブル運転モード」がある。
【００２５】
・「ダブル運転モード」は、例えば上かごを偶数階（２Ｆ，４Ｆ，６Ｆ…）、下かごを奇数階（１Ｆ，３Ｆ，５Ｆ…）に停止させるように上下かごを１階床おきに停止させる。  
・「シングル運転モード」は、一方のかごを未使用にして、他方のかごのみでシングルデッキエレベータのように運転する。  
・「セミダブル運転モード」は、基準階でのみダブル運転にして偶数階と奇数階をサービスするかごを使い分け、基準階から出発して一度停止した後は偶数階、奇数階の区別なく運転する。
【００２６】
これらの運転モードは、例えば出勤時、平常時、閑散時などの時間帯に応じて切り替えられる。例えば、「ダブル運転モード」は、かごの停止回数が半分になり、一周時間が短いため、高輸送能力が得られる。したがって、出勤時や昼食時等の交通需要の多い時に特に使われる。これに対し、「セミダブル運転モード」は、「ダブル運転モード」より輸送能力は低いが、偶数階と奇数階間の移動ができて便利なため、通常時間帯等に使われる。
【００２７】
また、乗客の少ない閑散時には、どの階にでも行ける「シングル運転モード」が使われる。特定の利用者だけを乗せて運転する場合（ＶＩＰ運転時）でも、この「シングル運転モード」が使われる。
【００２８】
モード設定部４１は、予め決められた時間帯に応じて、「ダブル運転モード」，「シングル運転モード」，「セミダブル運転モード」のいずれかを設定する。特に、「シングル運転モード」については、交通需要の少ない閑散時間帯を学習し、その閑散時間帯のときにシングル運転モードに切り替えるものとする。なお、例えばスイッチや端末装置等の特定の操作を通じて上記３つの運転モードを任意に切り替えることでも良い。
【００２９】
動作制御部４２は、モード設定部４１によってシングル運転モードが設定された場合に階間調整装置２０の動作を停止させる。詳しくは、動作制御部４２は、シングル運転モードが設定されたときにエレベータ制御装置３０から階間調整装置２０に対して供給する電源（電力）を遮断して階間調整動作を停止させる。
【００３０】
かご位置検出部４３は、昇降路１０内における現在のかご枠１の位置を検出する。詳しくは、かご位置検出部４３は、かご枠１の昇降動作に伴って、ガバナ３４に取り付けられたＰＧ３３から出力されるパルス信号をカウントし、そのカウント値から現在のかご枠１の位置を検出する。
【００３１】
かご間隔取得部４４は、かご枠１のかご間隔を定期的に取得する。詳しくは、階間調整動作に伴って、階間調整用のモータ４ａ，４ｂに取り付けられたＰＧ３１，３２から出力されるパルス信号をカウントし、そのカウント値から現在のかご間隔（かご枠１内の上かご２と下かご３の相対距離）を検出する。
【００３２】
かご位置補正部４５は、階間調整装置２０の動作が停止した場合に、その動作停止直前のかご間隔と目的階の階間長との誤差に基づいて、かご位置検出部４３によって検出されたかご枠１の位置を補正する。詳しくは、かご位置補正部４５は、階間長テーブル４６に記憶された目的階の階間長とかご間隔取得部４４によって得られた階間調整装置２０の動作停止直前のかご間隔との誤差に基づいて、かご枠１内の運転対象とするかごの位置ずれ量を算出し、この位置ずれ量をかご位置検出部４３によって現在検出されているかご枠１の位置に加える。
【００３３】
図３に階間長テーブル４６の一例を示す。  
階間長テーブル４６には、予め各階の間隔を示す階間長が記憶されている。この例では、最下階（１階）を基準にしてかご枠１内の上かご２と下かご３が各階に停止したときのかご位置と階間長との関係が示されている。例えば図４に示すように、上かご２が２階、下かご３が１階に停止しているとき、１階でのかご位置は０、２階でのかご位置は６０００（ｍｍ）となる。また、このときの１階と２階の階間長は６０００（ｍｍ）である。
【００３４】
呼び記憶部４７は、かご呼びまたはホール呼びを記憶する。かご呼びは、上かご２内の行先階ボタン３５または下かご３内の行先階ボタン３６の操作により登録される。このかご呼びには、利用者の行先階とその行先階が登録されたかご（上かご２または下かご３）の情報が含まれる。ホール呼びは、各階の方向ボタン３７ａ，３７ｂ，３７ｃ…の操作により登録される。このホール呼びには、利用者の行方向とその行先方向が登録された階の情報が含まれる。
【００３５】
走行制御部４８は、新規の呼び（かご呼びまたはホール呼び）が呼び記憶部４７に記憶されたときに、かご枠１の走行距離に対応した速度パターンを速度パターン演算部４９から読み出し、その速度パターンに従ってかご枠１を走行させる。
【００３６】
ここで、階間調整装置２０の動作が停止している場合、走行制御部４８は、かご位置補正部４５によって補正されたかご位置に基づいてかご枠１を目的階まで走行させ、そのかご枠１の中の１つ（シングル運転の対象かご）を当該目的階に着床させる。
【００３７】
速度パターン演算部４９は、加速期間については走行開始からの時間、減速期間については目的階までの残距離により速度パターンを演算している。
【００３８】
このような構成において、シングル運転モードが設定されると、かご枠１内の上かご２または下かご３がシングル運転に使用される。このとき、階間調整装置２０の動作を停止させることで、シングル運転時の消費電力を抑えることができる。
【００３９】
ここで、ダブルデッキエレベータでは、かご枠１のかご間隔が各階の階間長に合わせて調整されていることを前提にしてかご枠１の速度制御が行われる。このため、階間調整装置２０の動作が停止していると、かご枠１内の上かご２と下かご３が目的階の床面から大きくずれてしまうことがある。
【００４０】
この様子を図５および図６に示す。  
図５はかご枠１内の上かご２と下かご３が目的階の床面とずれて停止している状態を示す図である。
【００４１】
通常は、上かご２がｎ階、下かご３がｎ−１階に着床するように、かご枠１が所定の速度で走行し、着床スイッチ２４が着床検出板２１を検知したときに停止する。このとき、かご枠１の階間調整動作が正しく行われていれば、上かご２は着床スイッチ２５を使ってｎ階に着床でき、下かご３は着床スイッチ２６を使ってｎ−１階に着床できる。
【００４２】
ところが、階間調整装置２０の動作が停止している場合、かご枠１が着床検出板２１の位置で停止したとき、図５に示すように上かご２と下かご３がｎ階とｎ−１階の着床位置からずれてしまう。このときの上かご２の位置ずれを補正するための補正量をＡ、下かご３の位置ずれを補正するための補正量をＢとすると、以下のような式（１），（２）で表される。
【００４３】
上かご：Ａ＝−（Ｌｎ−Ｄｎ）／２            …（１）
下かご：Ｂ＝  （Ｌｎ−Ｄｎ）／２            …（２）
但し、Ｌｎは目的階の階間長（各階の間隔）、Ｄｎはかご枠１の現在の階間長（かご間隔）である。両者の誤差（Ｌｎ−Ｄｎ）を１／２とするのは、かごが２台あるからである。
【００４４】
図６はエレベータの速度パターンと走行距離との関係を示す図である。図６（ａ）は速度パターンであり、横軸が時間（ｓ）、縦軸が速度（ｍ／ｓ）を表している。同図（ｂ）は走行距離であり、横軸が時間（ｓ）、縦軸が距離（ｍ）を表している。
【００４５】
かご枠１は出発階からスタートし、所定の速度で目的階まで走行する。走行中に現在のかご位置（かご枠１の位置）から目的階までの残距離が計算される。この残距離が所定の減速開始距離になった時点で、かご枠１を減速して目的階で停止させる。
【００４６】
図中の「出発階」と「目的階」とは、上かご２または下かご３の出発階と目的階のことである。例えば、シングル運転モード時に上かご２が運転対象かごであれば、上かご２の出発階と目的階である。つまり、上かご２が出発階からスタートして目的階で着床できるように、かご枠１の位置を基準にして目的階までの走行速度が制御される。
【００４７】
なお、通常時はかご枠１の着床スイッチ２４が着床検出板２１を使用して着床動作を行うと、着床スイッチ２５は着床検出板２２、着床スイッチ２６は着床検出板２３のそれぞれと同じ位置になる。階間調整装置２０の動作が停止している場合は位置ずれがあるので、着床動作はシングル運転を行うかごの着床スイッチと着床検出板を使用して行う。上述した補正量はかご位置を補正するためのものであるが、動作的にはかご枠１の減速開始位置を決める残距離の計算に反映されるものである。
【００４８】
以下に、第１の実施形態の動作について詳しく説明する。
【００４９】
図７は第１の実施形態におけるエレベータの運転制御を示すフローチャートである。なお、このフローチャートで示される処理は、コンピュータであるエレベータ制御装置３０が所定のプログラムを読み込むことにより実行される。
【００５０】
まず、エレベータ制御装置３０のモード設定部４１によって運転モードが設定される（ステップＳ１１）。上述したようにダブルデッキエレベータの運転モードには、「ダブル運転モード」，「シングル運転モード」，「セミダブル運転モード」がある。
【００５１】
いま、予め設定された閑散時間帯になり、「ダブル運転モード」または「セミダブル運転モード」から「シングル運転モード」に切り替えられたものとする。シングル運転モードが設定されると（ステップＳ１２のＹｅｓ）、動作制御部４２は、階間調整装置２０に供給する電源（電力）を遮断して、階間調整装置２０による階間調整動作を停止させる（ステップＳ１３）。
【００５２】
このとき、かご間隔取得部４４は、階間調整装置２０の動作停止直前のかご枠１のかご間隔を取得し、これを現在のかご間隔（かご枠１の階間長）としてかご位置補正部４５に与える（ステップＳ１４）。なお、現在のかご間隔（かご枠１の階間長）は、図１に示したＰＧ３１階間調整用のモータ４ａ，４ｂに取り付けられたＰＧ３１，３２から出力されるパルス信号をカウントすることで得られる。
【００５３】
ここで、新たな呼び（かご呼び／ホール呼び）が登録されると、呼び記憶部４７に記憶される（ステップＳ１５）。この呼び記憶部４７に記憶された新たな呼びに応答するために、以下のようなかご位置補正処理と走行制御が実行される（ステップＳ１６，Ｓ１７）。
【００５４】
図８は上記ステップＳ１６で実行されるかご位置補正処理を示すフローチャートである。
【００５５】
まず、かご位置補正部４５は、かご位置検出部４３を通じて現在のかご位置を取得する（ステップＳ２１）。ここで言う「かご位置」とは、最下階を基準にしたかご枠１の位置のことであり、ガバナ３４に取り付けられたＰＧ３３から出力されるパルス信号をカウントすることで得られる。
【００５６】
次に、かご位置補正部４５は、階間長テーブル４６から目的階の階間長を読み出す（ステップＳ２２）。シングル運転モード時では、かご枠１内の上かご２または下かご３が「運転対象かご」として使用される。ここで言う「目的階」とは、その運転対象かごが着床する階のことである。例えば、上かご２が運転対象かごとして使用され、目的階がｎ階であれば、図３に示した階間長テーブル４６からｎ階の階間長「５０００（ｍｍ）」が読み出されることになる。
【００５７】
ここで、かご位置補正部４５は、目的階の階間長と上記ステップＳ１４で取得した階間調整動作直前のかご間隔（かご枠１の階間長）との誤差を算出する（ステップＳ２３）。例えば、目的階の階間長が「５０００（ｍｍ）」であり、階間調整動作直前のかご間隔（かご枠１の階間長）が「４０００（ｍｍ）」であったとすると、５０００−４０００＝１０００（ｍｍ）が誤差となる。
【００５８】
かご位置補正部４５は、この誤差に基づいて着床時の位置ずれを補正するための補正量を算出する（ステップＳ２４）。具体的には、シングル運転モード時に上かご２を運転対象かごとして使用する場合、上記式（１）に従って補正量Ａを求める。下かご３を運転対象かごとして使用する場合、上記式（２）に従って補正量Ｂを求める。
【００５９】
このようにして、運転対象かご（上かご２または下かご３）の補正量が得られると、かご位置補正部４５は、その補正量を上記ステップＳ２１で得られた現在のかご位置に加算する（ステップＳ２５）。例えば、補正量Ａが「−５００（ｍｍ）」であり、現在のかご位置が「１１０００（ｍｍ）」であれば、１１０００−５００＝１０５００（ｍｍ）が補正後のかご位置になる。
【００６０】
図９は上記ステップＳ１７で実行される走行制御を示すフローチャート、図１０はその走行制御に含まれる減速処理を示すフローチャートである。
【００６１】
図９に示すように、まず、走行制御部４８は、かご枠１が現在停止している階と目的階との位置関係から運転方向として上方向または下方向を選択し（ステップＳ３１）、その選択された方向に向かってかご枠１の走行を開始する（ステップＳ３２）。詳しくは、シングル運転モード時に運転対象かごとして使用される上かご２または下かご３が現在停止している階を出発階とする。走行制御部４８は、その出発階から目的階までの走行距離に対応した走行パターンを速度パターン演算部４９で演算し、その走行パターンに従ってかご枠１を走行させる。
【００６２】
次に、走行制御部４８は、かご枠１の走行中に減速開始位置を判断し、その減速開始位置でかご枠１の減速を行う（ステップＳ３３）。
【００６３】
詳しくは、図１０に示すように、走行制御部４８は、現在のかご位置から目的階までの残距離を算出する（ステップＳ４１）。この場合、かご位置補正部４５によってかご位置の補正が行われているので、ここでの残距離の算出処理は従来通りとなる。
【００６４】
続いて、走行制御部４８は、かご枠１の定格速度、減速度によって算出される減速開始距離と残距離とを比較して減速開始位置を判定する（ステップＳ４２）。図６（ｃ）に示すように、残距離＜減速開始距離に達した位置を減速開始位置とし、かご枠１がその減速開始位置まで来たときに減速を開始する。
【００６５】
この判定処理で用いられる残距離は、補正後のかご位置から算出されたものである。なお、上記式（１），（２）に示した補正量は、あくまでもかご位置を求めるためのものであり、補正量のプラス／マイナスと残距離の関係はかご枠１の運転方向によって異なる。したがって、例えば下方向の運転時であれば、かご位置が実際の位置よりも短く補正されている場合（補正量がマイナスの場合）には、通常よりも早めに減速が開始されることになる。逆に、かご位置が実際の位置よりも長く補正されている場合（補正量がプラスの場合）には、通常よりも遅めに減速が開始されることになる。上方向の運転時は減速開始のタイミングが逆になる。
【００６６】
次に、走行制御部４８は、かご枠１が目的階まで来たときに走行を停止し（ステップＳ３４）、その目的階で運転対象かごのレベリングを行う（ステップＳ３５）。例えば上かご２が運転対象かごであれば、着床検出板２２の設置位置を基準にして上かご２を当該目的階で位置決めする。この場合、階間調整動作の動作停止直前のかご間隔に合わせて、かご枠１を目的階で止めているので、運転対象かごが正規の着床位置から大きくずれることはない。
【００６７】
このように第１の実施形態によれば、シングル運転モードが設定されている間、階間調整装置２０の動作を停止させておくことで、運転中の消費電力を大幅に削減することができる。その際、階間調整動作の動作停止直前のかご間隔に応じてかご位置を補正し、その補正後のかご位置に基づいてかご枠１の走行を制御することで、運転対象かごを目的階に正しく着床させることができる。
【００６８】
（第２の実施形態）
次に、第２の実施形態について説明する。
【００６９】
上記第１の実施形態では、シングル運転モードに設定されたときに、階間調整装置２０の動作を停止し、その動作停止直前のかご間隔をエレベータ制御装置３０に送るものとした。このときのかご間隔は固定ではなく、階間調整装置２０を動作停止するタイミングによって異なる。したがって、エレベータ制御装置３０では、階間調整装置２０を動作停止する度に上記（１），（２）式に示した補正量の計算を行う必要がある。そこで、第２の実施形態では、階間調整装置２０を動作停止する際に、予め決められたかご間隔に調整してから動作停止するものとする。
【００７０】
以下に、第２の実施形態の動作について説明する。  
図１１は第２の実施形態におけるエレベータの運転制御を示すフローチャートである。なお、このフローチャートで示される処理は、コンピュータであるエレベータ制御装置３０が所定のプログラムを読み込むことにより実行される。
【００７１】
まず、エレベータ制御装置３０のモード設定部４１によって運転モードが設定される（ステップＳ５１１）。上述したようにダブルデッキエレベータの運転モードには、「ダブル運転モード」，「シングル運転モード」，「セミダブル運転モード」がある。
【００７２】
いま、予め設定された閑散時間帯になり、「ダブル運転モード」または「セミダブル運転モード」から「シングル運転モード」に切り替えられたものとする。シングル運転モードが設定されると（ステップＳ５２のＹｅｓ）、動作制御部４２は、かご枠１のかご間隔を所定の間隔に調整した後に（ステップＳ５３）、階間調整装置２０の電源（電力）を遮断して動作停止状態とする（ステップＳ５４）。
【００７３】
ここで、上記「所定の間隔」は、任意に設定可能である。ただし、図１２に示すように、昇降路１０の最下階の下には、何らかの原因でかご枠１が最下階から所定距離以上下方向へ走行することを規制するために方向制限スイッチ５０が設置されている。図示を省略するが、昇降路１０の最上階の上にも同様の方向制限スイッチが設置されており、かご枠１が最上階から所定距離以上上方向へ走行することが規制されている。
【００７４】
したがって、図１２の一点鎖線で示すように、かご枠１のかご間隔が短い状態で階間調整装置２０の動作が停止していると、かご枠１が最下階で停止した際に、下かご３を最下階に着床できないことがある。最上階でも同様であり、かご枠１のかご間隔が短い状態で階間調整装置２０の動作が停止していると、最上階でかご枠１が停止した際に、上かご２を最上階に着床できないことがある。このような最終端階での着床を可能とするため、予めかご枠１のかご間隔を最大に広げた状態に調整した後に階間調整装置２０の動作を停止させることが好ましい。
【００７５】
以後の処理（ステップＳ５５〜５７）は上記第１の実施形態と同様である。ただし、階間調整装置２０の動作停止時のかご枠１のかご間隔は決められているので、その都度、かご枠１のかご間隔を取得する必要はない（図７のステップＳ１４参照）。また、かご位置の補正量を算出する場合も、階間調整動作直前のかご間隔を一定にして計算することができる（図８のステップＳ２３参照）。
【００７６】
このように第２の実施形態によれば、予め決められたかご間隔に調整した後に階間調整装置２０の動作を停止することで補正量の計算を簡単化できる。また、かご間隔を最大に広げておくことにより、終端階でも確実に着床でき、運転サービスを行うことができる。
【００７７】
なお、建物によっては、必ずしも終端階の階間長が最も長いとは限らない。したがって、ジングル運転切替時（階間調整装置２０の動作停止時）のかご枠１のかご間隔が終端階の階間長よりも長い状態で停止している場合には、そのときのかご間隔で終端階でのサービスが可能であると判断しても良い。
【００７８】
また、上記各実施形態では、シングル運転モード時の省電力化を図るために階間調整装置２０を動作に停止させる場合を想定した説明したが、なんらかの原因で階間調整装置２０が故障して動作停止状態になった場合でも適用できる。この場合、シングル運転モードに切り替え、故障時のかご枠１のかご間隔と目的階の階間長との誤差から位置ずれを求め、その位置ずれに基づいてかご位置を補正してかご枠１を走行制御して、運転対象とするかごを目的階に着床させれば良い。
【００７９】
また、かご枠１内に２つのかごを有するダブルデッキエレベータに限らず、さらに多数のかごを有する特殊なエレベータであっても、上記同様の方法でその中の１つかごを使用することで、階間調整動作を止めた状態でも運転を継続することができる。ただし、上記式（１），（２）の補正量の計算式は、階間調整装置２０が階間の中心を対称にして伸縮する機械構成であることを前提にしている。したがって、例えばかごが３つの場合には、上記計算式の“／２”を“／３”に変えるだけでは成り立たず、真ん中のかごを固定として、３つのかご間隔が均等とするなどの条件が必要となる。
【００８０】
また、上述した各実施形態の動作説明では、階間調整装置２０の動作停止によって生じる着床時の位置ずれに対し、走行前にかご位置を補正しておくものとして説明したが、図１０の減速処理時に上記位置ずれを考慮して減速開始のタイミングをずらすことでも同じである。
【００８１】
以上述べた少なくとも１つの実施形態によれば、階間調整動作を止めた状態でも運転対象とするかごを目的階に正しく着床させて運転サービスを継続することのできる階間調整機能付きのエレベータを提供することができる。
【００８２】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８３】
１…かご枠、２…上かご、３…下かご、４ａ，４ｂ…モータ、５ａ，５ｂ…ボールネジ、６ａ，６ｂ…ボールネジ、７…中間梁、８，９…支持機構、１０…昇降路、１１…巻上機、１２…そらせシーブ、１３…メインロープ、１４…カウンタウェイト、１５…かご下ダクト、１６…テールコード、２１〜２３…着床検出板、２４〜２６…着床スイッチ、３０…エレベータ制御装置、３１〜３３…パルスジェネレータ、３４…ガバナ、３５，３６…行先階ボタン、３７ａ〜３７ｃ…方向ボタン、３８ａ〜３８ｃ…各階の乗場、４１…モード設定部、４２…動作制御部、４３…かご位置検出部、４４…かご間隔取得部、４５…かご位置補正部、４６…階間長テーブル、４７…呼び記憶部、４８…走行制御部、４９…速度パターン演算部、５０…方向制限スイッチ。
【図１】
2016055992.tif 000003
【図２】
2016055992.tif 000004
【図３】
2016055992.tif 000005
【図４】
2016055992.tif 000006
【図５】
2016055992.tif 000007
【図６】
2016055992.tif 000008
【図７】
2016055992.tif 000009
【図８】
2016055992.tif 000010
【図９】
2016055992.tif 000011
【図１０】
2016055992.tif 000012
【図１１】
2016055992.tif 000013
【図１２】
2016055992.tif 000014
【手続補正書】
【提出日】平成27年10月19日(2015.10.19)
【手続補正１】
【補正対象書類名】特許請求の範囲
【補正対象項目名】全文
【補正方法】変更
【補正の内容】
【特許請求の範囲】
【請求項１】
少なくとも２つのかごが上下方向に連結されたかご枠と、上記かご枠内の各かごの間隔を昇降路内の各階の階間長に合わせて調整する階間調整装置とを備えた階間調整機能付きエレベータにおいて、
上記昇降路内における上記かご枠の位置を検出するかご位置検出手段と、
上記階間調整装置の動作停止直前の上記各かごの間隔を取得するかご間隔取得手段と、
予め上記各階の間隔を示す階間長を記憶した記憶手段と、
上記各かごの中の任意の１つのかごを運転対象かごとして使用するシングル運転モードを設定するモード設定手段と、
このモード設定手段によって上記シングル運転モードが設定された場合に上記階間調整装置の動作を停止させる動作制御手段と、
上記階間調整装置の動作が停止した場合に、上記記憶手段に記憶された上記各階の中の上記目的階の階間長と上記かご間隔取得手段によって得られた上記階間調整装置の動作停止直前の上記各かごの間隔との誤差に基づいて、上記かご位置検出手段によって検出された上記かご枠の位置を補正するかご位置補正手段と、
このかご位置補正手段によって補正された上記かご枠の位置に基づいて上記かご枠を上記目的階まで走行させ、上記各かごの中の１つを上記目的階に着床させる走行制御手段と
を具備したことを特徴とする階間調整機能付きエレベータ。
【請求項２】
上記走行制御手段は、
上記かご枠の走行中に補正後の上記かご枠の位置に基づいて上記目的階までの残距離を算出し、その残距離に応じた減速開始位置で上記かご枠を減速することを特徴とする請求項１記載の階間調整機能付きエレベータ。
【請求項３】
上記モード設定手段は、
時間帯に応じて上記シングル運転モードを設定することを特徴とする請求項１記載の階間調整機能付きエレベータ。
【請求項４】
上記動作制御手段は、
上記階間調整装置に対する電力供給を遮断することで上記階間調整装置の動作を停止させることを特徴とする請求項１記載の階間調整機能付きエレベータ。
【請求項５】
上記動作制御手段は、
上記各かごの間隔を所定の間隔に調整した後に上記階間調整装置の動作を停止させることを特徴とする請求項１記載の階間調整機能付きエレベータ。
【請求項６】
上記動作制御手段は、
上記各かごの間隔を最大に広げた状態に調整した後に上記階間調整装置の動作を停止させることを特徴とする請求項１記載の階間調整機能付きエレベータ。
【手続補正２】
【補正対象書類名】明細書
【補正対象項目名】０００８
【補正方法】変更
【補正の内容】
【０００８】
本実施形態に係る階間調整機能付きのエレベータは、少なくとも２つのかごが上下方向に連結されたかご枠と、上記かご枠内の各かごの間隔を昇降路内の各階の階間長に合わせて調整する階間調整装置とを備えた階間調整機能付きエレベータにおいて、上記昇降路内における上記かご枠の位置を検出するかご位置検出手段と、上記階間調整装置の動作停止直前の上記各かごの間隔を取得するかご間隔取得手段と、予め上記各階の間隔を示す階間長を記憶した記憶手段と、上記各かごの中の任意の１つのかごを運転対象かごとして使用するシングル運転モードを設定するモード設定手段と、このモード設定手段によって上記シングル運転モードが設定された場合に上記階間調整装置の動作を停止させる動作制御手段と、上記階間調整装置の動作が停止した場合に、上記記憶手段に記憶された上記各階の中の上記目的階の階間長と上記かご間隔取得手段によって得られた上記階間調整装置の動作停止直前の上記各かごの間隔との誤差に基づいて、上記かご位置検出手段によって検出された上記かご枠の位置を補正するかご位置補正手段と、このかご位置補正手段によって補正された上記かご枠の位置に基づいて上記かご枠を上記目的階まで走行させ、上記各かごの中の１つを上記目的階に着床させる走行制御手段とを具備する。